(57)【要約】【課題】  申請書の提出によりＩＤカードの発行の申請を受け付ける受付装置と、申請者の顔画像情報と個人情報とによりＩＤカードを発行する発行装置と、を備えるＩＤカード発行システムにおいて、受付装置と発行装置とがネットワークで接続されていなくても、受付装置と発行装置との間での暗証情報の受け渡しにおける暗証情報の秘匿性を高める。【解決手段】ＩＤカード発行システム１０００において、受付装置１は、申請書からＩＤ番号を読み取るＩＤ番号読取装置１２と、暗証情報の入力を行う暗証番号読取装置１３と、ＣＰＵ１１１にＩＤ番号と暗証番号とを対応付けてメディアに記憶させる記録プログラム１１３１と、を備え、ＩＤカード発行装置２は、メディアから暗証番号とＩＤ番号とを取得するメディア読取装置２４と、暗証番号とＩＤ番号と個人情報とを対応付けて記憶装置２２に記憶させるホストコンピュータ２１と、を備えた。【選択図】  図１
2006338520.tif 000002
【特許請求の範囲】
【請求項１】
申請書の提出によりＩＤカードの発行の申請を受け付ける受付装置と、
申請者の識別情報と個人情報とを対応付けて記憶する記憶手段を備え、申請者の顔画像情報と前記記憶手段に記憶された当該申請書の個人情報とによりＩＤカードを発行する発行装置と、を備えるＩＤカード発行システムにおいて、
前記受付装置は、
前記申請書から識別情報を読み取る識別情報読取手段と、
申請者の暗証情報の入力を行うための入力手段と、
前記識別情報読取手段により読み取られた識別情報と、前記入力手段に入力された暗証情報とを対応付けて記録媒体に記憶させる媒体記録制御手段と、を備え、
前記発行装置は、
前記記録媒体から申請者の暗証情報と識別情報とを取得する取得手段と、
前記取得手段により取得された申請者の暗証情報と識別情報と前記個人情報とを対応付けて前記記憶手段に記憶させる記憶制御手段と、
を備えることを特徴とするＩＤカード発行システム。
【請求項２】
請求項１記載のＩＤカード発行システムにおいて、
前記受付装置は、
申請者の顔画像を撮影して顔画像情報を取得する撮影手段を備え、
前記媒体記録制御手段は、
前記撮影手段により取得された申請者の顔画像情報と、前記識別情報と、前記暗証情報とを対応付けて記憶媒体に記憶させることを特徴とするＩＤカード発行システム。
【請求項３】
前記記憶制御手段は、
前記取得手段により取得された申請者の暗証情報と識別情報とを対応付けて前記記憶手段に記憶させた後、当該暗証情報を前記記録媒体から消去することを特徴とする請求項１又は２に記載のＩＤカード発行システム。
【請求項４】
前記入力手段は、
申請者の暗証情報が機械的に暗号化されて記入された暗証情報記入書から、暗証情報を読み取る暗証情報読取手段であることを特徴とする請求項１〜３の何れか一項に記載のＩＤカード発行システム。
【発明の詳細な説明】
【技術分野】
【０００１】
本発明は、ＩＤカード発行システムに関する。
【背景技術】
【０００２】
従来、ＩＤカード発行システムは、例えば、当該ＩＤカード発行システムを統括的に制御するホストコンピュータ、ＩＤカードの申請者の顔画像情報を取得する撮影装置、当該申請者のＩＤ番号、暗証番号、個人情報、顔画像情報等を対応付けて記憶する記憶装置、当該申請者の個人情報や顔画像情報などに基づいてＩＤカードに文字や顔写真をプリントするＩＤカード発行装置、これらの装置を操作する端末などから構成されている。
【０００３】
そして、通常、申請書に記載されたＩＤ番号、暗証番号、個人情報が受付端末においてオペレータにより入力され、ネットワークを介してホストコンピュータに送信され、記憶装置に記憶される。また、撮影装置において申請者の顔画像情報が取得され、当該顔画像情報がネットワークを介してホストコンピュータに送信され、記憶装置に記憶される。そして、ＩＤカード発行装置において当該ＩＤ番号、個人情報、顔画像情報に基づいてＩＤカードが発行されるようになっている（例えば、特許文献１，２）。
また、受付端末が設置されている場所とホストコンピュータ，撮影装置，ＩＤカード発行装置が設置されているセンターとが離れており、ネットワークで接続されていない場合には、受付端末においてＩＤ番号、暗証番号、個人情報等が記載された申請書，申請者の顔写真を受け付け、当該申請書と顔写真をセンターへ郵送し、センターにおいてオペレータにより、顔写真から顔画像情報が取得され、ＩＤ番号、暗証番号、個人情報、当該顔画像情報が対応付けられて記憶装置に記憶され、当該ＩＤ番号、個人情報、顔画像情報に基づいてＩＤカードが発行されるようになっている。
【特許文献１】特開２００４−１３１１９８号公報
【特許文献２】特開平７−８９２７２号公報
【発明の開示】
【発明が解決しようとする課題】
【０００４】
しかしながら、ＩＤ番号、暗証番号、個人情報等が記載された申請書を郵送することとすると、郵送工程がある分、受付端末とホストコンピュータ，記憶装置等とがネットワークで接続されている場合に比べ、暗証番号の秘匿性が低くなってしまうという問題がある。
また、申請書に暗証番号を記載することとすると、万が一、申請書が第三者に見られてしまうと、簡単に、第三者にＩＤ番号と暗証番号が知られることとなってしまうため、申請書を第三者に見られることがないように厳重に管理しなくてはならず、当該申請書を管理する負担が大きいという問題があった。
【０００５】
本発明の課題は、申請書の提出によりＩＤカードの発行の申請を受け付ける受付装置と、申請者の顔画像情報と個人情報とによりＩＤカードを発行する発行装置と、を備えるＩＤカード発行システムにおいて、受付装置と発行装置とがネットワークで接続されていなくても、受付装置と発行装置との間での暗証情報の受け渡しにおける暗証情報の秘匿性を高めることである。
【課題を解決するための手段】
【０００６】
上記課題を解決するため、請求項１に記載の発明は、
申請書の提出によりＩＤカードの発行の申請を受け付ける受付装置と、
申請者の識別情報と個人情報とを対応付けて記憶する記憶手段を備え、申請者の顔画像情報と前記記憶手段に記憶された当該申請書の個人情報とによりＩＤカードを発行する発行装置と、を備えるＩＤカード発行システムにおいて、
前記受付装置は、
前記申請書から識別情報を読み取る識別情報読取手段と、
申請者の暗証情報の入力を行うための入力手段と、
前記識別情報読取手段により読み取られた識別情報と、前記入力手段に入力された暗証情報とを対応付けて記録媒体に記憶させる媒体記録制御手段と、を備え、
前記発行装置は、
前記記録媒体から申請者の暗証情報と識別情報とを取得する取得手段と、
前記取得手段により取得された申請者の暗証情報と識別情報と前記個人情報とを対応付けて前記記憶手段に記憶させる記憶制御手段と、を備えることを特徴としている。
【０００７】
請求項２に記載の発明は、請求項１に記載のＩＤカード発行システムにおいて、
前記受付装置は、
申請者の顔画像を撮影して顔画像情報を取得する撮影手段を備え、
前記媒体記録制御手段は、
前記撮影手段により取得された申請者の顔画像情報と、前記識別情報と、前記暗証情報とを対応付けて記憶媒体に記憶させることを特徴としている。
【０００８】
請求項３に記載の発明は、請求項１又は２に記載のＩＤカード発行システムにおいて、
前記記憶制御手段は、
前記取得手段により取得された申請者の暗証情報と識別情報とを対応付けて前記記憶手段に記憶させた後、当該暗証情報を前記記録媒体から消去することを特徴としている。
【０００９】
請求項４に記載の発明は、請求項１〜３の何れか一項に記載のＩＤカード発行システムにおいて、
前記入力手段は、
申請者の暗証情報が機械的に暗号化されて記入された暗証情報記入書から、暗証情報を読み取る暗証情報読取手段であることを特徴としている。
【発明の効果】
【００１０】
請求項１に記載の発明によれば、受付装置が発行装置とネットワークで接続されていない場合に、暗証情報と識別情報とを対応付けて記憶させた記録媒体と申請書と顔写真とを発行装置へ郵送することができるので、暗証情報と識別情報とが記載された申請書を郵送する従来のＩＤカード発行システムに比べ、郵送工程において申請書が間違って第三者に見られてしまうことによって暗証情報が第三者に知られてしまうことを防ぐことができ、暗証情報の秘匿性を高めることができる。
また、識別情報と暗証情報とが別々に入力されるので、暗証情報と識別情報とが記載された申請書を用いる場合に比べて、識別情報と暗証情報が第三者に知られてしまう可能性を低くすることができ、暗証情報の秘匿性を高めることができる。
また、申請書に暗証情報が記載されないので、当該申請書を管理する負担を軽減できるとともに、暗証情報の秘匿性を向上させることができる。
また、媒体記録制御手段により、識別情報と暗証情報とが対応付けられて記録媒体に記録されるので、発行装置において、申請者の識別情報と暗証情報との対応付けを行わなくてもよくなることとなって、当該識別情報と暗証情報とを効率良く記憶手段に記憶させることができる。
【００１１】
請求項２に記載の発明によれば、請求項１に記載の発明と同様の効果が得られるのは勿論のこと、特に、受付装置において、媒体記録制御手段により、撮影手段により取得された申請者の顔画像情報と、識別情報と、暗証情報とが対応付けられて記憶媒体に記憶させられるので、発行装置において、申請者の識別情報と暗証情報と顔画像情報との対応付けを行わなくてもよくなることとなって、当該識別情報と暗証情報と顔画像情報とを効率良く記憶手段に記憶させることができる。
【００１２】
請求項３に記載の発明によれば、請求項１又は２に記載の発明と同様の効果が得られるのは勿論のこと、特に、記憶制御手段は、暗証情報と識別情報とを対応付けて記憶手段に記憶させた後、当該暗証情報を記録媒体から消去するので、暗証情報と識別情報とを対応付けて記憶手段に記憶させた後において、記録媒体から当該暗証情報と識別情報が第三者に知られてしまうことを防ぐことができ、暗証情報の秘匿性をより向上させることができる。
【００１３】
請求項４に記載の発明によれば、請求項１〜３の何れか一項に記載の発明と同様の効果が得られるのは勿論のこと、特に、暗証情報読取手段により暗証情報記入書から暗証情報を読み取った後に、当該暗証情報記入書を申請者に返却することができ、申請者が暗証情報を忘れてしまうことも防ぐことができる。
【発明を実施するための最良の形態】
【００１４】
以下、図を参照して本発明を実施するための最良の形態を詳細に説明する。なお、発明の範囲は、図示例に限定されない。
【００１５】
（第１の実施形態）
＜ＩＤカード発行システムの構成＞
まず、本発明の第１の実施形態に係るＩＤカード発行システム１０００の構成を、図１を参照して説明する。
ＩＤカード発行システム１０００は、例えば、図１に示すように、受付装置１、発行装置としてのＩＤカード発行装置２等を備えて構成される。
また、一つのＩＤカード発行装置２に対する受付装置１の個数は、図１の限りではなく、任意である。
【００１６】
受付装置１は、例えば、図１に示すように、エンジニアリング・ワーク・ステーション（以下、ＥＷＳ）１１、識別情報読取手段としてのＩＤ番号読取装置１２、入力手段としての暗証番号読取装置１３，メディア記録装置１４等を備えて構成される。
【００１７】
ＥＷＳ１１は、例えば、図１に示すように、ＣＰＵ（Central  Processing  Unit）１１１，ＲＡＭ（Random  Access  Memory）１１２，記憶部１１３等を備えて構成される。
【００１８】
ＣＰＵ１１１は、記憶部１１３に記憶されたＥＷＳ１１用の各種処理プログラムに従って各種の制御動作を行う。
【００１９】
ＲＡＭ１１２は、ＣＰＵ１１１によって実行される処理プログラムなどを展開するためのプログラム格納領域や、入力データや上記処理プログラムが実行される際に生じる処理結果などを格納するデータ格納領域などを備える。
【００２０】
記憶部１１３は、ＥＷＳ１１で実行可能なシステムプログラム、当該システムプログラムで実行可能な各種処理プログラム、これら各種処理プログラムを実行する際に使用されるデータ、ＣＰＵ１１１によって演算処理された処理結果のデータなどを記憶する。なお、プログラムは、コンピュータが読み取り可能なプログラムコードの形で記憶部１１３に記憶されている。
具体的には、記憶部１１３には、例えば、図１に示すように、記録プログラム１１３１等が格納されている。
【００２１】
記録プログラム１１３１は、例えば、ＣＰＵ１１１に、メディア記録装置１４を制御して、ＩＤ番号読取装置１２により読み取られたＩＤ番号と、暗証番号読取装置１３により読み取られた暗証番号とを対応付けてメディア（図示省略）に記録させる機能を実現させるプログラムである。メディアとしては、例えば、磁気記録方式の記録媒体である、フロッピー（登録商標）ディスク、ＭＯ，ＣＤ，ＤＶＤ等が用いられる。なお、暗証番号は暗号化されてメディアに記録されてもよい。
ＣＰＵ１１１は、かかる記録プログラム１１３１を実行することによって、媒体記録制御手段として機能する。
【００２２】
ＩＤ番号読取装置１２は、例えば、マークシートリーダ、バーコードリーダ、ＯＣＲ等であり、申請書に記載されたＩＤ番号を自動読取する。
この場合、ＩＤ番号は、申請書にマークシートの塗りつぶし、バーコード、ＯＣＲ文字等により記載される。
【００２３】
暗証番号読取装置１３は、例えば、マークシートリーダ、バーコードリーダ、ＯＣＲ等であり、暗証番号記入書（図示省略）に記載された暗証番号を自動読取する。
この場合、暗証番号は、暗証番号記入書にマークシートの塗りつぶし、バーコード、ＯＣＲ文字等により記載される。暗証番号がバーコード，ＯＣＲ文字等で暗証番号記入書に記入される場合には、当該暗証番号記入書を作成する装置を別途設けてもよい。
また、当該暗証番号記入書は、暗証番号が暗証番号読取装置１３により読み取られた後に、申請者に返却されるようになっている。
【００２４】
メディア記録装置１４は、磁気方式記録装置等である、フロッピーディスクドライブ、ＭＯドライブ、ＣＤドライブ、ＤＶＤドライブ等であり、ＣＰＵ１１１が記録プログラム１１３１を実行することにより制御されて、ＩＤ番号読取装置１２により読み取られたＩＤ番号と暗証番号読取装置１３により読み取られた暗証番号とを対応付けてメディアに記録する。なお、暗証番号は暗号化されてメディア記録装置１４によりメディアに記録されてもよい。
【００２５】
ＩＤカード発行装置２は、例えば、ホストコンピュータ２１、記憶手段としての記憶装置２２、スキャナ２３、メディア読取装置２４、入力装置２５、プリント部２６等を備えて構成され、記憶装置２２に記憶された申請者のＩＤ番号、個人情報、顔画像情報に基づいてＩＤカード（図示省略）を発行する。
【００２６】
ホストコンピュータ２１は、内部に、ＣＰＵ（図示省略）、ＲＡＭ（図示省略）、ＲＯＭ（図示省略）等を備え、ＲＯＭに予め記憶されたプログラムに従い、ＩＤカード発行装置２を統括的に制御するコンピュータである。より具体的には、ホストコンピュータ２１は、例えば、図１に示すように、記憶装置２２（例えば、磁気テープ装置や磁気ディスク装置などの磁気記憶装置など）、スキャナ２３、メディア読取装置２４、入力装置２５等を接続している。
また、ホストコンピュータ２１とプリント部２６とは、ネットワークを介して接続されており、互いに通信可能となっている。
なお、ネットワークは、専用線により構築された通信ネットワークであり、ＬＡＮ（Local  Area  Network）やＷＡＮ（Wide  Area  Network）等の回線形態を適用することが可能である。
また、一つのホストコンピュータ２１に接続されるプリント部２６の個数は、図１の限りではなく、任意である。
【００２７】
そして、例えば、ホストコンピュータ２１は、スキャナ２３により取得された申請者の顔画像情報，メディア読取装置２４により取得されたＩＤ番号及び暗証番号，入力装置２５により入力された個人情報を記憶装置２２に記憶させるとともに、メディア読取装置２４を制御して、当該ＩＤ番号及び暗証番号が記録されたメディアから当該ＩＤ番号及び暗証番号のデータを消去し、記憶制御手段として機能する。
【００２８】
また、ホストコンピュータ２１は、個人情報送信プログラム（図示省略）を備え、当該個人情報送信プログラムを実行することにより、記憶装置２２に記憶された申請者のＩＤ番号、個人情報、顔画像情報をプリント部２６へ送信する機能を果たす。
また、ホストコンピュータ２１は、認証プログラム（図示省略）を備え、当該認証プログラムを実行することにより、ＩＤカードの再発行を申請した申請者のＩＤ番号と暗証番号が個人情報データベース２２１に記憶されているＩＤ番号と暗証番号に一致するか否かを判断する機能を果たす。
【００２９】
記憶装置２２には、例えば、図１に示すように、個人情報データベース２２１等が格納されている。
【００３０】
個人情報データベース２２１には、例えば、ＩＤ番号と当該申請者の暗証番号，個人情報，顔画像情報とが対応付けて記憶されている。
より具体的には、個人情報データベース２２１は、例えば、「ＩＤ番号」記憶領域，「暗証番号」記憶領域，「個人情報」記憶領域，「顔画像情報」記憶領域等を有する。
「ＩＤ番号」記憶領域には、申請者を識別するＩＤ番号が記憶されている。
「暗証番号」記憶領域には、申請者の暗証番号が記憶されている。
「個人情報」記憶領域には、「ＩＤ番号」記憶領域に記憶されたＩＤ番号によって識別される申請者の個人情報（住所、氏名、国籍・本籍、生年月日など）が記憶されている。
「顔画像情報」記憶領域には、申請者の顔画像情報が記憶されている。
【００３１】
なお、個人情報データベース２２１は、ホストコンピュータ２１に格納してもよいし、或いは、ネットワークを介して接続される外部装置内に格納してもよい。
また、個人情報データベース２２１の「個人情報」記憶領域には、個人情報を表すものとして、予め登録されている文字データの他に、新たに作成した欠字や外字などを表すデータが記憶されるようにしてもよい。
【００３２】
また、個人情報は、受付装置１から郵送される申請書に記載されており、オペレータにより入力装置２５から入力されて、個人情報データベース２２１に記憶される。
また、申請者のＩＤ番号及び暗証番号は、受付装置１から郵送されたメディアからメディア読取装置２４により読み取られて、個人情報データベース２２１に記憶される。
また、顔画像情報は、受付装置１から郵送された顔写真からスキャナ２３により読み取られて、個人情報データベース２２１に記憶される。
【００３３】
スキャナ２３は、受付装置１から郵送された顔写真から申請者の顔画像情報を読み取る。
【００３４】
メディア読取装置２４は、受付装置１から郵送されたメディアから申請者のＩＤ番号と暗証番号を読み取り、取得手段として機能する。
【００３５】
入力装置２５は、例えば、カーソルキー、文字／数字キー、各種機能キー等を備えて構成され、オペレータのキー操作に伴う押下信号をホストコンピュータに出力する。具体的には、オペレータが申請書に記載された個人情報等を入力する際に使用される。
【００３６】
プリント部２６は、例えば、図１に示すように、ＥＷＳ２６１、プリント装置２６２などを備えて構成されている。そして、プリント部２６は、ＥＷＳ２６１によってネットワークに接続されており、ホストコンピュータ２１から送信されるＩＤ番号、個人情報、顔画像情報に基づく画像をＩＤカードにプリントする機能を果たす。
【００３７】
ＥＷＳ２６１は、例えば、図１に示すように、ＣＰＵ２６１１、ＲＡＭ２６１２、記憶部２６１３などを備えて構成されている。
【００３８】
ＣＰＵ２６１１は、記憶部２６１３に記憶されたＥＷＳ２６１用の各種処理プログラムに従って各種の制御動作を行う。
【００３９】
ＲＡＭ２６１２は、ＣＰＵ２６１１によって実行される処理プログラムなどを展開するためのプログラム格納領域や、入力データや上記処理プログラムが実行される際に生じる処理結果などを格納するデータ格納領域などを備える。
【００４０】
記憶部２６１３は、ＥＷＳ２６１で実行可能なシステムプログラム、当該システムプログラムで実行可能な各種処理プログラム、これら各種処理プログラムを実行する際に使用されるデータ、ＣＰＵ２６１１によって演算処理された処理結果のデータなどを記憶する。なお、プログラムは、コンピュータが読み取り可能なプログラムコードの形で記憶部２６１３に記憶されている。
【００４１】
プリント装置２６２は、ホストコンピュータ２１の送信プログラム３１３１の実行により送信された、ＩＤ番号、個人情報、顔画像情報に基づく画像を、ＩＤカードにプリントする。
【００４２】
＜処理＞
次に、ＩＤカード発行システム１０００における処理（受付処理，ＩＤカード発行処理，ＩＤカード再発行処理）について説明する。
【００４３】
＜受付処理＞
まず、ＩＤカード発行システム１０００の受付装置１における、受付処理について、図２のフローチャートを参照して説明する。
【００４４】
まず、オペレータにより申請書がＩＤ番号読取装置１２に挿入されると、ＩＤ番号読取装置１２により申請書からＩＤ番号が読み取られる（ステップＳ１）。
【００４５】
次に、オペレータにより暗証番号記入書が暗証番号読取装置１３に挿入されると、暗証番号読取装置１３により暗証番号記入書から暗証番号が読み取られる（ステップＳ２）。なお、暗証番号が読み取られた後、当該暗証番号記入書は申請者に返却される。
【００４６】
次に、ＣＰＵ１１１が記録プログラム１１３１を実行することにより、メディア記録装置１４が制御されて、ステップＳ１で読み取られたＩＤ番号とステップＳ２で読み取られた暗証番号とが対応付けられてメディアに記録される（ステップＳ３）。なお、暗証番号は、暗号化されてメディア記録装置１４によりメディアに記録されてもよい。
【００４７】
＜ＩＤカード発行処理＞
次に、ＩＤカード発行システム１０００における、ＩＤカードを発行する処理について、図３のフローチャートを参照して説明する。
【００４８】
まず、オペレータにより申請書の記載に基づいて入力装置２５が操作されることにより、入力装置２５から申請者の個人情報等が入力される（ステップＳ１０１）。
【００４９】
次に、オペレータにより、受付装置１から郵送されたメディアがメディア読取装置２４に挿入され、メディア読取装置２４により当該メディアからＩＤ番号及び暗証番号が読み取られる（ステップＳ１０２）。なお、暗証番号が暗号化されて記録されている場合には、解読されてメディア読取装置２４により当該暗証番号が読み取られる。
【００５０】
次に、オペレータにより、スキャナ２３が操作されることにより、スキャナ２３により受付装置１から郵送された顔写真から申請者の顔画像情報が読み取られる（ステップＳ１０３）。
【００５１】
次に、ホストコンピュータ２１は、ステップＳ１０１で得られた個人情報とステップＳ１０２で得られたＩＤ番号及び暗証番号とステップＳ１０３で得られた顔画像情報とを対応付けて個人情報データベース２２１に記憶する（ステップＳ１０４）。
【００５２】
次に、ホストコンピュータ２１は、メディア読取装置２４を制御して、メディアからＩＤ番号及び暗証番号のデータを消去する（ステップＳ１０５）。
【００５３】
次に、ホストコンピュータ２１は、個人情報送信プログラム（図示省略）を実行することにより、個人情報データベース２２１からＩＤ番号、個人情報、顔画像情報を読み出してプリント部２６に送信する（ステップＳ１０６）。
【００５４】
次に、プリント部２６のＣＰＵ２６１１は、ホストコンピュータ２１からＩＤ番号、個人情報、顔画像情報を受信すると（ステップＳ１０７）、プリント装置２６２を制御して、受信したＩＤ番号、個人情報、顔画像情報に基づく画像をＩＤカードにプリントさせて、ＩＤカードを発行する（ステップＳ１０８）。
＜ＩＤカード再発行処理＞
次に、ＩＤカード発行システム１０００における、ＩＤカードを再発行する処理について、図４のフローチャートを参照して説明する。
【００５５】
まず、受付装置１のオペレータにより、ＩＤカードの再発行の申請書がＩＤ番号読取装置１２に挿入されると、ＩＤ番号読取装置１２により当該申請書からＩＤ番号が読み取られる（ステップＳ２０１）。
【００５６】
次に、オペレータにより暗証番号記入書が暗証番号読取装置１３に挿入されると、暗証番号読取装置１３により暗証番号記入書から暗証番号が読み取られる（ステップＳ２０２）。なお、暗証番号が読み取られた後、当該暗証番号記入書は申請者に返却される。
【００５７】
次に、ＣＰＵ１１１が記録プログラム１１３１を実行することにより、メディア記録装置１４が制御されて、ステップＳ１で読み取られたＩＤ番号とステップＳ２で読み取られた暗証番号とが対応付けられてメディアに記録される（ステップＳ２０３）。なお、暗証番号は、暗号化されてメディア記録装置１４によりメディアに記録されてもよい。
そして、当該申請書と当該メディアと申請者の顔写真がＩＤカード発行装置２へと郵送される。
【００５８】
次に、ＩＤカード発行装置２のオペレータにより、受付装置１から郵送されたメディアがメディア読取装置２４に挿入され、メディア読取装置２４により当該メディアからＩＤ番号及び暗証番号が読み取られる（ステップＳ２０４）。なお、暗証番号が暗号化されて記録されている場合には、解読されてメディア読取装置２４により当該暗証番号が読み取られる。
【００５９】
次に、オペレータにより、スキャナ２３が操作されることにより、スキャナ２３により受付装置１から郵送された顔写真から申請者の顔画像情報が読み取られる（ステップＳ２０５）。
【００６０】
次に、ホストコンピュータ２１は、認証プログラム（図示省略）を実行することにより、ステップＳ２０１で入力されたＩＤ番号とステップＳ２０２で入力された暗証番号が個人情報データベース２２１に記憶されているＩＤ番号と暗証番号に一致するか否かを判断する（ステップＳ２０６）。
【００６１】
ステップＳ２０６において、ホストコンピュータ２１が、入力されたＩＤ番号と暗証番号が個人情報データベース２２１に記憶されているＩＤ番号と暗証番号に一致しないと判断した場合には（ステップＳ２０６；Ｎｏ）、ＩＤカードの再発行処理を終了する。
一方、ステップＳ２０６において、ホストコンピュータ２１が、入力されたＩＤ番号と暗証番号が個人情報データベース２２１に記憶されているＩＤ番号と暗証番号に一致すると判断した場合には（ステップＳ２０６；Ｙｅｓ）、ホストコンピュータ２１は、個人情報送信プログラム（図示省略）を実行することにより、個人情報データベース２２１からＩＤ番号，個人情報を読出し、当該ＩＤ番号，個人情報とステップＳ２０５で取得された顔画像情報とをプリント部２６に送信する（ステップＳ２０７）。
【００６２】
次に、ホストコンピュータ２１は、メディア読取装置２４を制御して、メディアからＩＤ番号及び暗証番号のデータを消去する（ステップＳ２０８）。
【００６３】
一方、プリント部２６のＣＰＵ２６１１は、ホストコンピュータ２１からＩＤ番号、個人情報、顔画像情報を受信すると（ステップＳ２０９）、プリント装置２６２を制御して、受信したＩＤ番号、個人情報、顔画像情報に基づく画像をＩＤカードにプリントさせて、ＩＤカードを再発行する（ステップＳ２１０）。
【００６４】
以上に説明した、本発明の第１の実施形態に係るＩＤカード発行システム１０００によれば、受付装置１がＩＤカード発行装置２とネットワークで接続されていない場合に、暗証番号とＩＤ番号とを対応付けて記憶させたメディアと申請書と顔写真とをＩＤカード発行装置２へ郵送することができるので、暗証番号とＩＤ番号とが記載された申請書を郵送する従来のＩＤカード発行システムに比べ、郵送工程において申請書が間違って第三者に見られてしまうことによって暗証番号が第三者に知られてしまうことを防ぐことができ、暗証番号の秘匿性を高めることができる。
また、ＩＤ番号と暗証番号とが別々に入力されるので、ＩＤ番号と暗証番号とが記載された申請書を用いる場合に比べて、ＩＤ番号と暗証番号が第三者に知られてしまう可能性を低くすることができ、暗証番号の秘匿性を高めることができる。
また、申請書に暗証番号が記載されないので、当該申請書を管理する負担を軽減できるとともに、暗証番号の秘匿性を向上させることができる。
【００６５】
また、ホストコンピュータ２１は、暗証番号とＩＤ番号とを対応付けて記憶装置２２に記憶させた後、当該暗証番号をメディアから消去するので、暗証番号とＩＤ番号とを対応付けて記憶装置２２に記憶させた後において、メディアから当該暗証番号とＩＤ番号が第三者に知られてしまうことを防ぐことができ、暗証番号の秘匿性をより向上させることができる。
【００６６】
また、暗証番号読取装置１３により暗証番号記入書から暗証番号を読み取った後に、当該暗証番号記入書を申請者に返却することができ、申請者が暗証番号を忘れてしまうことも防ぐことができる。
【００６７】
（第２の実施形態）
次に、本発明の第２の実施形態にかかるＩＤカード発行システム２０００について説明する。第２の実施形態に係るＩＤカード発行システム２０００は、第１の実施形態に係るＩＤカード発行システム１０００における受付装置１，ＩＤカード発行装置２の構成の一部が異なるので、同一の構成については同じ符号を付すとともにその説明を省略する。
【００６８】
＜ＩＤカード発行システムの構成＞
まず、本発明の第２の実施形態に係るＩＤカード発行システム２０００の構成を、図５を参照して説明する。
【００６９】
受付装置１０は、例えば、図５に示すように、エンジニアリング・ワーク・ステーション（以下、ＥＷＳ）１１，識別情報読取手段としてのＩＤ番号読取装置１２，入力手段としての暗証番号読取装置１３，撮影手段としての画像処理装置１５，メディア記録装置１４０等を備えて構成される。
【００７０】
画像処理装置１５は、例えば、図５に示すように、カメラ１５１、ＴＶモニタ１５２などを接続している。画像処理装置１５は、カメラ１５１により取得された顔画像情報（アナログビデオ信号）を、デジタル化して、ＥＷＳ１１に出力する。
【００７１】
カメラ１５１は、例えば、オペレータによって撮影開始ボタン（図示省略）が押下されると、申請者の顔を中心とした胸像を撮影して、申請者の顔画像情報を取得する。
【００７２】
ＴＶモニタ１５２は、カメラ１５１により取得した顔画像情報に基づく顔画像を表示する。オペレータは、ＴＶモニタ１５２に表示された顔画像を見て、当該顔画像の顔画像情報を、ＩＤカードにプリントする顔画像の顔画像情報として確定するか否かを判断することができる。
【００７３】
メディア記録装置１４０は、磁気方式記録装置等である、フロッピーディスクドライブ、ＭＯドライブ、ＣＤドライブ、ＤＶＤドライブ等であり、ＣＰＵ１１１が記録プログラム１１３１を実行することにより制御されて、ＩＤ番号読取装置１２により読み取られたＩＤ番号と，暗証番号読取装置１３により読み取られた暗証番号と，画像処理装置１５により取得された顔画像情報とを対応付けてメディアに記録する。なお、暗証番号は暗号化されてメディア記録装置１４０によりメディアに記録されてもよい。
【００７４】
メディア読取装置２４０は、受付装置１０から郵送されたメディアから申請者のＩＤ番号、暗証番号、顔画像情報を読み取り、取得手段として機能する。
＜処理＞
次に、ＩＤカード発行システム２０００における処理（受付処理，ＩＤカード発行処理，ＩＤカード再発行処理）について説明する。
【００７５】
＜受付処理＞
まず、ＩＤカード発行システム２０００の受付装置１０における、受付処理について、図６のフローチャートを参照して説明する。
【００７６】
まず、オペレータにより申請書がＩＤ番号読取装置１２に挿入されると、ＩＤ番号読取装置１２により申請書からＩＤ番号が読み取られる（ステップＳ３０１）。
【００７７】
次に、オペレータにより暗証番号記入書が暗証番号読取装置１３に挿入されると、暗証番号読取装置１３により暗証番号記入書から暗証番号が読み取られる（ステップＳ３０２）。なお、暗証番号が読み取られた後、当該暗証番号記入書は申請者に返却される。
【００７８】
次に、オペレータにより画像処理装置１５が操作されて、カメラ１５１により申請者の顔を中心とした胸像が撮影されて顔画像情報が生成され、ＴＶモニタ１５２に当該顔画像情報に基づく顔画像が表示され、オペレータによって顔画像が確定されることにより、顔画像情報が取得される（ステップＳ３０３）。
【００７９】
次に、ＣＰＵ１１１が記録プログラム１１３１を実行することにより、メディア記録装置１４０が制御されて、ステップＳ３０１で読み取られたＩＤ番号と，ステップＳ３０２で読み取られた暗証番号と，ステップＳ３０３で取得された顔画像情報とが対応付けられてメディアに記録される（ステップＳ３０４）。なお、暗証番号は、暗号化されてメディア記録装置１４０によりメディアに記録されてもよい。
【００８０】
＜ＩＤカード発行処理＞
次に、ＩＤカード発行システム２０００における、ＩＤカードを発行する処理について、図７のフローチャートを参照して説明する。
【００８１】
まず、オペレータにより申請書の記載に基づいて入力装置２５が操作されることにより、入力装置２５から申請者の個人情報等が入力される（ステップＳ４０１）。
【００８２】
次に、オペレータにより、受付装置１０から郵送されたメディアがメディア読取装置２４０に挿入され、メディア読取装置２４０により当該メディアからＩＤ番号、暗証番号、顔画像情報が読み取られる（ステップＳ４０２）。なお、暗証番号が暗号化されて記録されている場合には、解読されてメディア読取装置２４０により当該暗証番号が読み取られる。
【００８３】
次に、ホストコンピュータ２１は、ステップＳ３０１で得られた個人情報とステップＳ３０２で得られたＩＤ番号、暗証番号、顔画像情報とを対応付けて個人情報データベース２２１に記憶する（ステップＳ４０３）。
【００８４】
次に、ホストコンピュータ２１は、メディア読取装置２４０を制御して、メディアからＩＤ番号、暗証番号、顔画像情報のデータを消去する（ステップＳ４０４）。ここで、ＩＤ番号と顔画像情報は必ずしもメディアから消去される必要はなく、消去されずにＩＤカード発行後における確認作業等の終了後においてメディアから当該ＩＤ番号及び顔画像情報が消去されてもよい。
【００８５】
次に、ホストコンピュータ２１は、個人情報送信プログラム（図示省略）を実行することにより、個人情報データベース２２１からＩＤ番号、個人情報、顔画像情報を読み出してプリント部２６に送信する（ステップＳ４０５）。
【００８６】
次に、プリント部２６のＣＰＵ２６１１は、ホストコンピュータ２１からＩＤ番号、個人情報、顔画像情報を受信すると（ステップＳ４０６）、プリント装置２６２を制御して、受信したＩＤ番号、個人情報、顔画像情報に基づく画像をＩＤカードにプリントさせて、ＩＤカードを発行する（ステップＳ４０７）。
＜ＩＤカード再発行処理＞
次に、ＩＤカード発行システム２０００における、ＩＤカードを再発行する処理について、図８のフローチャートを参照して説明する。
【００８７】
まず、受付装置１０のオペレータにより、ＩＤカードの再発行の申請書がＩＤ番号読取装置１２に挿入されると、ＩＤ番号読取装置１２により当該申請書からＩＤ番号が読み取られる（ステップＳ５０１）。
【００８８】
次に、オペレータにより暗証番号記入書が暗証番号読取装置１３に挿入されると、暗証番号読取装置１３により暗証番号記入書から暗証番号が読み取られる（ステップＳ５０２）。なお、暗証番号が読み取られた後、当該暗証番号記入書は申請者に返却される。
【００８９】
次に、オペレータにより画像処理装置１５が操作されて、カメラ１５１により申請者の顔を中心とした胸像が撮影されて顔画像情報が生成され、ＴＶモニタ１５２に当該顔画像情報に基づく顔画像が表示され、オペレータによって顔画像が確定されることにより、顔画像情報が取得される（ステップＳ５０３）。
【００９０】
次に、ＣＰＵ１１１が記録プログラム１１３１を実行することにより、メディア記録装置１４０が制御されて、ステップＳ５０１で読み取られたＩＤ番号と，ステップＳ５０２で読み取られた暗証番号と，ステップＳ５０３で取得された顔画像情報とが対応付けられてメディアに記録される（ステップＳ５０４）。なお、暗証番号は、暗号化されてメディア記録装置１４０によりメディアに記録されてもよい。
そして、当該申請書と当該メディアがＩＤカード発行装置２へと郵送される。
【００９１】
次に、ＩＤカード発行装置２のオペレータにより、受付装置１０から郵送されたメディアがメディア読取装置２４０に挿入され、メディア読取装置２４０により当該メディアからＩＤ番号、暗証番号、顔画像情報が読み取られる（ステップＳ５０５）。なお、暗証番号が暗号化されて記録されている場合には、解読されてメディア読取装置２４０により当該暗証番号が読み取られる。
【００９２】
次に、ホストコンピュータ２１は、認証プログラム（図示省略）を実行することにより、ステップＳ２０１で入力されたＩＤ番号とステップＳ２０２で入力された暗証番号が個人情報データベース２２１に記憶されているＩＤ番号と暗証番号に一致するか否かを判断する（ステップＳ５０６）。
【００９３】
ステップＳ５０６において、ホストコンピュータ２１が、入力されたＩＤ番号と暗証番号が個人情報データベース２２１に記憶されているＩＤ番号と暗証番号に一致しないと判断した場合には（ステップＳ５０６；Ｎｏ）、ＩＤカードの再発行処理を終了する。
一方、ステップＳ５０６において、ホストコンピュータ２１が、入力されたＩＤ番号と暗証番号が個人情報データベース２２１に記憶されているＩＤ番号と暗証番号に一致すると判断した場合には（ステップＳ５０６；Ｙｅｓ）、ホストコンピュータ２１は、個人情報送信プログラム（図示省略）を実行することにより、個人情報データベース２２１からＩＤ番号，個人情報を読み出し、当該ＩＤ番号，個人情報とステップＳ５０５で取得された顔画像情報とをプリント部２６に送信する（ステップＳ５０７）。
【００９４】
次に、ホストコンピュータ２１は、メディア読取装置２４０を制御して、メディアからＩＤ番号、暗証番号、顔画像情報のデータを消去する（ステップＳ５０８）。ここで、ＩＤ番号と顔画像情報は必ずしもメディアから消去される必要はなく、消去されずにＩＤカード再発行後における確認作業等の終了後においてメディアから当該ＩＤ番号及び顔画像情報が消去されてもよい。
【００９５】
一方、プリント部２６のＣＰＵ２６１１は、ホストコンピュータ２１からＩＤ番号、個人情報、顔画像情報を受信すると（ステップＳ５０９）、プリント装置２６２を制御して、受信したＩＤ番号、個人情報、顔画像情報に基づく画像をＩＤカードにプリントさせて、ＩＤカードを再発行する（ステップＳ５１０）。
【００９６】
以上に説明した、本発明の第２の実施形態に係るＩＤカード発行システム２０００によれば、第１の実施形態に係るＩＤカード発行装置１０００と同様の効果が得られるのは勿論のこと、特に、受付装置１０において、ＣＰＵ１１１が記録プログラム１１３１を実行することにより、画像処理装置１５により取得された申請者の顔画像情報と、ＩＤ番号と、暗証番号とが対応付けられてメディアに記憶させられるので、ＩＤカード発行装置２において、申請者のＩＤ番号と暗証番号と顔画像情報との対応付けを行わなくてもよくなることとなって、当該ＩＤ番号と暗証番号と顔画像情報とを効率良く記憶装置２２に記憶させることができる。
【００９７】
なお、暗証番号読取装置１３は、例えば、カーソルキー、文字／数字キー、各種機能キー等を備えて構成され、オペレータが暗証番号記入書に記載された暗証番号をこれらのキーを操作することに伴う押下信号をＥＷＳ１１に出力することにより、該ＩＤ番号を入力するものであってもよい。この場合、暗証番号は申請書に数字又はマークシートの塗りつぶしにより記載される。
また、入力手段は、暗証番号読取装置１３以外にも、例えば、申請者による文字／数字キー入力が可能な入力装置としてもよい。
また、ＩＤ番号読取装置１２は、例えば、カーソルキー、文字／数字キー、各種機能キー等を備えて構成され、オペレータが申請書に記載されたＩＤ番号をこれらのキーを操作することに伴う押下信号をＥＷＳ１１に出力することにより、該ＩＤ番号を入力するものであってもよい。この場合、ＩＤ番号は申請書に数字又はマークシートの塗りつぶしにより記載される。
また、ＩＤカードの再発行において、ＩＤ番号と暗証番号は受付装置１において読み取られることとしたが、ＩＤカード発行装置２において、オペレータにより入力装置２５から入力されてもよい。
また、ＩＤカードの再発行において、暗証番号が変更されてもよい。その場合には、暗証番号読取装置１３により再発行直前に使用されている暗証番号と再発行後に使用予定の暗証番号とが読み取られ、個人情報データベース２２１に記憶されたＩＤ番号及び暗証番号とＩＤ番号読取装置１２により読み取られたＩＤ番号及び再発行直前に使用されている暗証番号とが一致する場合にのみ、再発行直前に使用されている暗証番号が再発行後に使用予定の暗証番号に変更されるようにすればよい。
また、暗証情報として、暗証番号を例に挙げて説明したが、暗証情報は暗証番号に限られるものではなく、申請者を特定できるＩＤ番号以外の他のデータであってもよく、例えば、申請者の生体情報が暗号化されて暗証情報記入書に記載されてもよい。
【図面の簡単な説明】
【００９８】
【図１】本発明の第１の実施形態に係るＩＤカード発行システムの構成を示すブロック図である。
【図２】本発明の第１の実施形態に係るＩＤカード発行システムの受付装置における受付処理を説明するためのフローチャートである。
【図３】本発明の第１の実施形態に係るＩＤカード発行システムにおけるＩＤカードの発行処理を説明するためのフローチャートである。
【図４】本発明の第１の実施形態に係るＩＤカード発行システムにおけるＩＤカードの再発行処理を説明するためのフローチャートである。
【図５】本発明の第２の実施形態に係るＩＤカード発行システムの構成を示すブロック図である。
【図６】本発明の第２の実施形態に係るＩＤカード発行システムの受付装置における受付処理を説明するためのフローチャートである。
【図７】本発明の第２の実施形態に係るＩＤカード発行システムにおけるＩＤカードの発行処理を説明するためのフローチャートである。
【図８】本発明の第２の実施形態に係るＩＤカード発行システムにおけるＩＤカードの再発行処理を説明するためのフローチャートである。
【符号の説明】
【００９９】
１，１０  受付装置
１２  ＩＤ番号読取装置（識別情報読取手段）
１３  暗証番号読取装置（入力手段,暗証情報読取手段）
１５  画像処理装置（撮影手段）
１１１  ＣＰＵ（媒体記録制御手段）
１１３１  記録プログラム（媒体記録制御手段）
２  ＩＤカード発行装置（発行装置）
２１  ホストコンピュータ（記憶制御手段）
２２  記憶装置（記憶手段）
２４，２４０  メディア読取装置（取得手段）
１０００，２０００  ＩＤカード発行システム
【図１】
2006338520.tif 000003
【図２】
2006338520.tif 000004
【図３】
2006338520.tif 000005
【図４】
2006338520.tif 000006
【図５】
2006338520.tif 000007
【図６】
2006338520.tif 000008
【図７】
2006338520.tif 000009
【図８】
2006338520.tif 000010